(57)【要約】【課題】一度作成したプレイリストをコンテンツ再生装置間で共有可能なコンテンツ再生システム、コンテンツ再生装置、コンテンツ再生方法、及びプログラムを提供すること。【解決手段】ホームオーディオ機器Ａ２とポータブルオーディオ機器Ａ１をＵＳＢケーブルＣ１によって接続し、ホームオーディオ機器Ａ２は、ポータブルオーディオ機器Ａ１に記憶されたプレイリストの内容に従って、圧縮オーディオファイルを再生する。【選択図】図１
2008276855.tif 000002
【特許請求の範囲】
【請求項１】
第１の再生装置と第２の再生装置が相互に接続され、
前記第１の再生装置は、コンテンツデータ及びプレイリストデータを記憶し、
前記第２の再生装置は、前記第１の再生装置に記憶されたプレイリストデータの内容に従ってコンテンツデータを再生する再生手段を備えること
を特徴とするコンテンツ再生システム。
【請求項２】
前記第２の再生装置は、
コンテンツデータを記憶する記憶手段を備え、
前記第１の再生装置が記憶するプレイリストデータは、前記記憶手段に記憶されたコンテンツデータに関する情報を有すること
を特徴とする請求項１に記載のコンテンツ再生システム。
【請求項３】
前記再生手段は、前記第１の再生装置に記憶されたプレイリストデータの内容に従ってコンテンツデータを再生する際に、前記第１の再生装置及び前記記憶手段以外に記憶されているコンテンツデータに関する情報を除いたプレイリストデータの内容に従ってコンテンツデータを再生すること
を特徴とする請求項２に記載のコンテンツ再生システム。
【請求項４】
前記第２の再生装置は、前記第１の再生装置を含む他の再生装置と共有可能なプレイリストデータを生成するプレイリスト生成手段を備えること
を特徴とする請求項１〜請求項３のいずれか１項に記載のコンテンツ再生システム。
【請求項５】
コンテンツデータ及びプレイリストデータを記憶する外部の再生装置と接続可能な接続手段と、
前記接続手段により接続された外部の再生装置が有するプレイリストデータの内容に従ってコンテンツデータを再生する再生手段と、
を備えることを特徴とするコンテンツ再生装置。
【請求項６】
コンテンツデータ及びプレイリストデータを記憶する外部の再生装置から取得されたプレイリストデータの内容に従ってコンテンツデータを再生すること
を特徴とするコンテンツ再生方法。
【請求項７】
コンピュータを
コンテンツデータ及びプレイリストデータを記憶する外部の再生装置と接続可能な接続手段、
前記接続手段から取得されたプレイリストデータの内容に従ってコンテンツデータを再生する再生手段、
として機能させるためのプログラム。
【発明の詳細な説明】
【技術分野】
【０００１】
本発明は、プレイリストを用いたコンテンツ再生システム、コンテンツ再生装置、コンテンツ再生方法、及びプログラムに関する。
【背景技術】
【０００２】
近年、ホームオーディオ機器、ポータブルオーディオ機器、カーオーディオ機器などのコンテンツ再生装置は、ＭＰ３やＷＭＡといった圧縮オーディオファイル等の再生機能を有するものが普及している。そして、これらのコンテンツ再生装置は、予め設定されたプレイリストの内容に従って、圧縮オーディオファイルを再生することができる。プレイリストとは、圧縮オーディオファイル等のコンテンツデータを連続再生するために予め選択されたコンテンツのリストをいい、特定のコンテンツに関する情報を含んでコンテンツ再生装置にプレイリストデータとして記憶されている。
【０００３】
また、このようなコンテンツ再生装置の中には、ＵＳＢ（Universal Serial Bus）などの規格に準じた接続部を有し、他のコンテンツ再生装置と接続し、当該他のコンテンツ再生装置に記憶された圧縮オーディオファイルを再生可能なものも知らせている。例えば、ポータブルオーディオ機器をホームオーディオ機器に接続し、当該ポータブルオーディオ機器に記憶された圧縮オーディオファイルを当該ホームオーディオ機器で再生することができる。
【０００４】
特許文献１には、ポータブルオーディオ機器と車載オーディオ機器を連携して連続再生を可能とする技術が開示されている。
【特許文献１】特開２００２−３７３４８４号公報
【発明の開示】
【発明が解決しようとする課題】
【０００５】
しかしながら、上記従来技術では、複数のコンテンツ再生装置を相互に接続し、一のコンテンツ再生装置で他のコンテンツ再生装置に記憶されたコンテンツをプレイリストに従って再生する場合は、当該一のコンテンツ再生装置側で当該他のコンテンツ再生装置に記憶されたコンテンツを再生するためのプレイリストを作成する必要があり、その作業は手間がかかるものであった。
【０００６】
本発明の課題は、一度作成したプレイリストをコンテンツ再生装置間で共有可能なコンテンツ再生システム、コンテンツ再生装置、コンテンツ再生方法、及びプログラムを提供することである。
【課題を解決するための手段】
【０００７】
請求項１に記載の発明は、コンテンツ再生システムにおいて、
第１の再生装置と第２の再生装置が相互に接続され、
前記第１の再生装置は、コンテンツデータ及びプレイリストデータを記憶し、
前記第２の再生装置は、前記第１の再生装置に記憶されたプレイリストデータの内容に従ってコンテンツデータを再生する再生手段を備えること
を特徴とする。
【０００８】
請求項２に記載の発明は、請求項１に記載のコンテンツ再生システムにおいて、
前記第２の再生装置は、
コンテンツデータを記憶する記憶手段を備え、
前記第１の再生装置が記憶するプレイリストデータは、前記記憶手段に記憶されたコンテンツデータに関する情報を有すること
を特徴とする。
【０００９】
請求項３に記載の発明は、請求項２に記載のコンテンツ再生システムにおいて、
前記再生手段は、前記第１の再生装置に記憶されたプレイリストデータの内容に従ってコンテンツデータを再生する際に、前記第１の再生装置及び前記記憶手段以外に記憶されているコンテンツデータに関する情報を除いたプレイリストデータの内容に従ってコンテンツデータを再生すること
を特徴とする。
【００１０】
請求項４に記載の発明は、請求項１〜請求項３のいずれか１項に記載のコンテンツ再生システムにおいて、
前記第２の再生装置は、前記第１の再生装置を含む他の再生装置と共有可能なプレイリストデータを生成するプレイリスト生成手段を備えること
を特徴とする。
【００１１】
請求項５に記載の発明は、コンテンツ再生装置において、
コンテンツデータ及びプレイリストデータを記憶する外部の再生装置と接続可能な接続手段と、
前記接続手段により接続された外部の再生装置が有するプレイリストデータの内容に従ってコンテンツデータを再生する再生手段と、
を備えることを特徴とする。
【００１２】
請求項６に記載の発明は、コンテンツ再生方法において、
コンテンツデータ及びプレイリストデータを記憶する外部の再生装置から取得されたプレイリストデータの内容に従ってコンテンツデータを再生すること
を特徴とする。
【００１３】
請求項７に記載の発明は、コンピュータを
コンテンツデータ及びプレイリストデータを記憶する外部の再生装置と接続可能な接続手段、
前記接続手段から取得されたプレイリストデータの内容に従ってコンテンツデータを再生する再生手段、
として機能させるためのプログラムであることを特徴とする。
【発明の効果】
【００１４】
本発明によれば、一度作成したプレイリストをコンテンツ再生装置間で共有可能なコンテンツ再生システム、コンテンツ再生装置、コンテンツ再生方法、及びプログラムを提供することができる。
【発明を実施するための最良の形態】
【００１５】
以下、図面を参照して、本発明の好適な一実施形態を説明する。ただし、発明の範囲は本実施形態に限定されない。
【００１６】
［コンテンツ再生システムの概要］
まず、コンテンツ再生システムの概要を説明する。
図１にコンテンツ再生システムの構成の一例を示す。
【００１７】
コンテンツ再生システム１００は、ポータブルオーディオ機器Ａ１、ホームオーディオ機器Ａ２、カーオーディオ機器Ａ３を備えて構成される。各オーディオ機器は、ＵＳＢケーブルＣ１を介して接続可能であり、圧縮オーディオファイルやプレイリストのデータ等の各種データを各オーディオ機器間で送受信することができる。
【００１８】
第１のコンテンツ再生装置であるポータブルオーディオ機器Ａ１は、携帯型のオーディオ機器である。第２のコンテンツ再生装置であるホームオーディオ機器Ａ２は、家庭などでオーディオ鑑賞を行うための据置き型のオーディオ機器である。第３のコンテンツ再生装置であるカーオーディオ機器Ａ３は、自動車に搭載されるオーディオ機器である。何れのオーディオ機器も、ＭＰ３やＷＭＡ形式等の圧縮オーディオファイルを再生することができる。
【００１９】
コンテンツ再生システム１００は以上のような構成を採ることによって、１つのオーディオ機器は、他のオーディオ機器に記憶された圧縮オーディオファイルをプレイリストに従って再生する。
【００２０】
［コンテンツ再生装置の構成］
次に、コンテンツ再生装置の構成の一例として、ホームオーディオ機器Ａ２の構成について説明する。
【００２１】
図２に示すように、ホームオーディオ機器Ａ２は、記憶部１、アナログ音声入力部２、ＣＤ（Compact Disk）メカ部３、セレクター４、ＡＤＣ（Analog Digital Converter）５、ＤＳＰ（Digital Signal Processor）６、ＤＡＣ（Digital Analog Converter）７、アンプ部８、スピーカ９、表示部１０、操作部１１、システムマイコン１２、外部Ｉ／Ｆ１３を備えて構成される。
【００２２】
記憶部１としては、ＨＤＤ（Hard Disk Drive）等が用いられる。記憶部１には、ホームオーディオ機器Ａ２が再生可能なオーディオデータが、ＭＰ３やＷＭＡなどの圧縮オーディオファイル等の形式で記憶されている。
【００２３】
アナログ音声入力部２は、図示しない外部装置から出力されたアナログ音声信号を入力する入力部である。
【００２４】
ＣＤメカ部３は、ＣＤドライブ等の装置であり、ＣＤに記録されたオーディオデータを読み取り、セレクター４又はＤＳＰ６へ出力する。
【００２５】
セレクター４は、ホームオーディオ機器Ａ２が再生等するオーディオデータのソースの選択を行う回路である。システムマイコン１２から入力した制御信号に応じてソースの選択が切り替えられる。
【００２６】
ＡＤＣ５は、入力したアナログ信号をディジタル信号に変換して出力するＡ／Ｄ変換回路である。
【００２７】
ＤＳＰ６は、ディジタル信号処理用のプロセッサであり、エンコーダ６ａ及びデコーダ６ｂを備える。エンコーダ６ａは、ＡＤＣ５から出力されたディジタル信号をエンコードし、圧縮オーディオファイルを出力する。デコーダ６ｂは、記憶部１、外部Ｉ／Ｆ１３からの圧縮オーディオファイルをデコードして再生処理を行い、ディジタル信号を出力する。
【００２８】
ＤＡＣ７は、ＤＳＰ６から出力されるディジタル信号をアナログ信号に変換して出力するＤ／Ａ変換回路である。
【００２９】
アンプ部８は、ＤＡＣ７から出力されるアナログ信号を増幅してスピーカ９に出力する回路である。
【００３０】
スピーカ９は、アンプ部８から出力されるアナログ信号を音波として出力する装置である。
【００３１】
表示部１０は、ホームオーディオ機器Ａ２の動作モード情報、プレイリスト情報、曲情報等の各種情報を表示する。
【００３２】
操作部１１は、各種操作キーを備えた装置であり、ホームオーディオ機器Ａ２のユーザによる操作キーの操作に応じて操作信号をシステムマイコン１２へ出力する。
【００３３】
システムマイコン１２は、制御部として機能し、ＲＯＭ（Read Only Memory）１２ａ及びＲＡＭ（Random Access Memory）１２ｂを備え、ＲＯＭ１２ａ等から制御プログラムや各種データを読み出してＲＡＭ１２ｂに展開し、当該プログラムとの協働によりオーディオ装置１内の各部を集中的に制御し、また各種演算を行う。
【００３４】
外部Ｉ／Ｆは、ＵＳＢケーブル等を介して外部機器と接続し、圧縮オーディオファイルやプレイリストなどの各種データを送受信するためのインタフェースである。
【００３５】
また、ポータブルオーディオ機器Ａ１、カーオーディオ機器Ａ３の構成も図２に示す構成と同様である。
【００３６】
［コンテンツ再生システムの動作］
次に、コンテンツ再生システムの動作について説明する。
まず、図３を参照して、ホームオーディオ機器Ａ２の外部Ｉ／Ｆ１３にＵＳＢケーブルＣ１を介してポータブルオーディオ機器Ａ１が接続された際に、ホームオーディオ機器Ａ２のシステムマイコン１２が行う処理の制御フローを説明する。
【００３７】
まず、外部Ｉ／Ｆ１３にＵＳＢケーブルＣ１を介してＵＳＢストレージが接続されたことが検出された場合（ステップＳ１；Ｙｅｓ）、すなわち、本実施形態では、ポータブルオーディオ機器Ａ１が接続されたことが検出された場合、ステップＳ２へ進む。
【００３８】
また、ＵＳＢストレージが接続されたことが検出されない場合（ステップＳ１；Ｎｏ）、検出されるまで待機する。
【００３９】
次いで、ステップＳ１にて検出されたポータブルオーディオ機器Ａ１内にプレイリストデータが登録された特定のＤＢ（Database）が存在する場合（ステップＳ２；Ｙｅｓ）、当該ＤＢがＵＳＢケーブルＣ１を介してポータブルオーディオ機器Ａ１から取得される。
【００４０】
また、ＵＳＢストレージ内にプレイリストデータが登録された特定のＤＢが存在しない場合（ステップＳ２；Ｎｏ）、この処理は終了する。
【００４１】
次に、図４を参照して、プレイリストのＤＢの内容に従って、圧縮オーディオファイルが再生される際に、ホームオーディオ機器Ａ２のシステムマイコン１２が行う処理の制御フローを説明する。
【００４２】
まず、ポータブルオーディオ機器Ａ１内にプレイリストのＤＢが存在するか否かが確認され、存在する場合（ステップＳ１１；Ｙｅｓ）、当該ＤＢが取得され、操作部１１から出力された操作信号等に応じて選択されたプレイリストのＤＢに登録された情報に従って、圧縮オーディオファイルが再生される（ステップＳ１２）。再生が終了した場合（ステップＳ１３；Ｙｅｓ）、この処理は終了する。
【００４３】
また、ポータブルオーディオ機器Ａ１内にプレイリストのＤＢが存在しない場合（ステップＳ１１；Ｎｏ）、ホームオーディオ機器Ａ２の表示部１０に、“プレイリストがありません”というメッセージが表示され（ステップＳ１４）、この処理は終了する。
【００４４】
ここで、図６を参照して、プレイリストのＤＢのデータ構成、及び、図４のステップＳ１２にてプレイリストのＤＢに登録された情報に従って圧縮オーディオファイルがどのように再生されるかについての一例を説明する。
【００４５】
図６に示すように、プレイリストのＤＢはデータ項目として、ファイル名５１、ＩＤ５２、パス５３、プレイリストａ５４、プレイリストｂ５５、ゴミ箱５６、プレイ回数５７を有する。
【００４６】
ファイル名５１は、圧縮オーディオファイルのファイル名である。ＩＤ５２は、圧縮オーディオファイルをＤＢ内で一意に特定するためのＩＤである。パス５３は、圧縮オーディオファイルの格納場所を示すパスである。
【００４７】
プレイリストａ５４及びプレイリストｂ５５は、その圧縮オーディオファイルがプレイリストａ及びプレイリストｂにそれぞれ設定されているか否かの状態を示す。“１”はそのプレイリストに設定されていることを示し、“０”は設定されていないことを示す。従って、図６のプレイリストのＤＢは、プレイリストａには、“file1”、“file3”、“file5”が設定されていることを示し、プレイリストｂには、“file1”、“file2”、“file5”が設定されていることを示している。
【００４８】
ゴミ箱５６は、その圧縮オーディオファイルがゴミ箱に捨てられた状態にあるか否か、すなわち、当該ファイルが削除候補にあるか否かの状態を示す。“１”は削除候補に設定されていることを示し、“０”は削除候補に設定されていないことを示す。プレイ回数５７は、その圧縮オーディオファイルが過去に再生された回数を示す。
【００４９】
プレイリストのＤＢは、以上のような構成となっているため、例えば、図４のステップＳ１２にてホームオーディオ機器Ａ２のユーザによって操作部１１が操作され、操作部１１から出力された操作信号に応じてＤＢ内のプレイリストａが選択されると、プレイリストａとして設定されている圧縮オーディオファイルの格納場所であるパス５３が参照され、当該圧縮ファイルが順次連続再生される。
【００５０】
なお、図６のパス５３に登録されているパス値において、ドライブ“Ｆ”は、ホームオーディオ機器Ａ２から見たポータブルオーディオ機器Ａ１を指す。このように、パス５３に登録されたパスのドライブが“Ｆ”である圧縮オーディオファイルが再生される場合は、再生対象のファイルが、ＵＳＢケーブルＣ１を介してポータブルオーディオ機器Ａ１から取得され、ホームオーディオ機器Ａ２により再生される。
【００５１】
以上のように、ホームオーディオ機器Ａ２は、ポータブルオーディオ機器Ａ１に格納された圧縮オーディオファイルを再生する際に、ポータブルオーディオ機器Ａ１に格納されたプレイリストに従って再生をすることができる。そのため、ホームオーディオ機器Ａ２によってポータブルオーディオ機器Ａ１に格納された圧縮オーディオファイルを再生するために再度プレイリストを作成する手間が削減される。
【００５２】
また、削除候補である圧縮オーディオファイルの情報や圧縮オーディオファイルが過去に再生された回数の情報などの各ファイルに関する情報を異なるオーディオ機器間で共有することができる。
【００５３】
次に、図５を参照して、ホームオーディオ機器Ａ２によってポータブルオーディオＡ１に格納されたプレイリストが更新又は登録がされる際に、ホームオーディオ機器Ａ２のシステムマイコン１２が行う処理の制御フローを説明する。
【００５４】
まず、外部Ｉ／Ｆ１３にＵＳＢケーブルＣ１を介してＵＳＢストレージが接続されたことが検出された場合（ステップＳ２１；Ｙｅｓ）、すなわち、ポータブルオーディオ機器Ａ１が接続されたことが検出された場合、ステップＳ２２へ進む。
【００５５】
また、外部Ｉ／Ｆ１３にＵＳＢケーブルＣ１を介してＵＳＢストレージが接続されたことが検出されない場合（ステップＳ２１；Ｎｏ）、検出されるまで待機する。
【００５６】
次いで、ホームオーディオ機器Ａ２のユーザによる操作部１１の操作によって、記憶部１又はポータブルオーディオ機器Ａ１に格納された圧縮オーディオファイルをプレイリストに登録するリクエストを受ける（ステップＳ２２）。
【００５７】
次いで、ポータブルオーディオ機器Ａ１にプレイリストのＤＢが存在する場合（ステップＳ２３；Ｙｅｓ）、ステップＳ２２で受けたリクエストの内容に応じてポータブルオーディオ機器Ａ１内の所定のエリアに格納されたプレイリストのＤＢが更新され（ステップＳ２４）、この処理は終了する。
【００５８】
また、ポータブルオーディオ機器Ａ１にプレイリストのＤＢが存在しない場合（ステップＳ２３；Ｎｏ）、ステップＳ２２で受けたリクエストの内容に応じて新たにプレイリストのＤＢが作成され、ポータブルオーディオ機器Ａ１内の所定のエリアに当該ＤＢが記録され（ステップＳ２５）、この処理は終了する。
【００５９】
図７及び図８に、図５のステップＳ２４にて更新又はステップＳ２５にて作成されたプレイリストのＤＢが、ホームオーディオ機器Ａ２によって取得された際のデータ構成の一例を示す。
【００６０】
図７において、ファイル名６１が“file3”であるレコードのパス６１には、ドライブが“Ｃ”であるパスが登録されている。ここで、ドライブＣは自機、すなわち、ホームオーディオ機器Ａ２を指している。
【００６１】
以上のように、ホームオーディオ機器Ａ２は、他のオーディオ機器と共有可能なプレイリストを作成又は更新することができ、ホームオーディオ機器Ａ２のユーザは、プレイリストとして登録された情報に従って、異なるオーディオ機器に格納された圧縮オーディオファイルを再生することができる。そのため、ユーザは、圧縮オーディオファイルがどのオーディオ機器に格納されているかを意識することなく、オーディオ鑑賞をすることができる。
【００６２】
図８において、ファイル名７１が“file3”又は“file5”であるレコードのパス７２には、ドライブが“E”であるパスが登録されている。ここで、ドライブEは、ホームオーディオ機器Ａ２又はポータブルオーディオ機器Ａ１以外の機器（例えば、カーオーディオ機器Ａ３）を指している。
【００６３】
ホームオーディオ機器Ａ２とポータブルオーディオＡ１が接続された状態で、図８に示すようなプレイリストに登録された情報に従って圧縮オーディオファイルを再生する場合は、ファイル名７１が“file3”又は“file5”であるレコードを除外したプレイリストに基づいて圧縮オーディオファイルが再生される。ファイル名７１が“file3”又は“file5”であるレコードが示す圧縮オーディオファイルは、ホームオーディオ機器Ａ２又はポータブルオーディオＡ１と接続されていないカーオーディオ機器Ａ３に格納されているため、再生されない。
【００６４】
このようなプレイリストを作成することを可能とすることで、ホームオーディオ機器Ａ２のユーザは、プレイリストとして登録された情報に従って、異なるオーディオ機器に格納された圧縮オーディオファイルを再生することができ、更に、接続されていないオーディオ機器に格納された圧縮オーディオファイルに関する情報は除外されたプレイリストの内容に基づいてファイルが再生されるため、不具合なくオーディオ鑑賞をすることができる。
【００６５】
［変形例］
本実施の形態では、ポータブルオーディオ機器Ａ１に格納されたプレイリストのＤＢを他のオーディオ機器と共有することとしたが、この形態に限定されず、ＵＳＢフラッシュメモリ等の他の形態のストレージに記憶されたプレイリストのＤＢを共有することとしても良い。
【００６６】
また、本実施の形態では、ホームオーディオ機器Ａ２は、ポータブルオーディオ機器Ａ１に記憶された他のオーディオ機器と共有可能なプレイリストを作成又は更新できることとしたが、ポータブルオーディオ機器Ａ１も当該プレイリストを作成又は更新できることとしても良い。
【００６７】
また、本実施の形態では、圧縮オーディオファイルを再生するためのプレイリストの実施例を示したが、これに限定されず、他の形式のオーディオデータであっても良い。
【００６８】
また、オーディオコンテンツに限定されず、ＤＶＤ（Digital Versatile Disk）等の映像コンテンツを再生するためのプレイリストを映像再生機器間で共有することとしても良い。
【００６９】
［効果］
以上のように、ホームオーディオ機器Ａ２は、ポータブルオーディオ機器Ａ１に格納された圧縮オーディオファイルを再生する際に、ポータブルオーディオ機器Ａ１に格納されたプレイリストの内容に従って再生をすることができる。そのため、ホームオーディオ機器Ａ２によってポータブルオーディオ機器Ａ１に格納された圧縮オーディオファイルを再生するために再度プレイリストを作成する手間が削減される。
【００７０】
また、削除候補である圧縮オーディオファイルの情報や圧縮オーディオファイルが過去に再生された回数の情報などの各ファイルに関する情報を異なるオーディオ機器間で共有することができる。
【００７１】
また、ホームオーディオ機器Ａ２のユーザは、プレイリストとして登録された情報に従って、異なるオーディオ機器に格納された圧縮オーディオファイルを再生することができる。そのため、ユーザは、圧縮オーディオファイルがどのオーディオ機器に格納されているかを意識することなく、オーディオ鑑賞をすることができる。
【００７２】
また、接続されていないオーディオ機器に格納された圧縮オーディオファイルに関する情報は除外されたプレイリストの内容に基づいてファイルが再生されるため、不具合なくオーディオ鑑賞をすることができる。
【図面の簡単な説明】
【００７３】
【図１】コンテンツ再生システムの構成を示す概念図である。
【図２】ホームオーディオ機器の構成を示すブロック図である。
【図３】ホームオーディオ機器にＵＳＢケーブルが接続された際にホームオーディオ機器のシステムマイコンが行う制御のフローチャートである。
【図４】ホームオーディオ機器によって圧縮オーディオファイルが再生される際にホームオーディオ機器のシステムマイコンが行う制御のフローチャートである。
【図５】ホームオーディオ機器によってポータブルオーディオ機器に格納されたプレイリストが更新又は登録がされる際に、ホームオーディオ機器のシステムマイコンが行う制御のフローチャートである。
【図６】プレイリストのＤＢの例を示すテーブルである。
【図７】プレイリストのＤＢの例を示すテーブルである。
【図８】プレイリストのＤＢの例を示すテーブルである。
【符号の説明】
【００７４】
１００  コンテンツ再生システム
Ａ１  ポータブルオーディオ機器
Ａ２  ホームオーディオ機器
Ａ３  カーオーディオ機器
Ｃ１  ＵＳＢケーブル
１  記憶部
２  アナログ音声入力部
３  ＣＤメカ部
４  セレクター
５  ＡＤＣ
６  ＤＳＰ
７  ＤＡＣ
８  アンプ部
９  スピーカ
１０  表示部
１１  操作部
１２  システムマイコン
１２ａ  ＲＯＭ
１２ｂ  ＲＡＭ
１３  外部Ｉ／Ｆ
【図１】
2008276855.tif 000003
【図２】
2008276855.tif 000004
【図３】
2008276855.tif 000005
【図４】
2008276855.tif 000006
【図５】
2008276855.tif 000007
【図６】
2008276855.tif 000008
【図７】
2008276855.tif 000009
【図８】
2008276855.tif 000010